(57)【要約】【課題】起動を指示する信号を受信できない状況で装置が使用されている場合に装置の無駄な電力の消費を抑制する情報処理装置及び装置の状態移行方法を提供する。【解決手段】情報処理装置が、電力を供給するための電源部と外部機器から装置の起動を指示する起動信号を受信する起動信号受信部と起動信号を受信したことに対応して装置を起動させる起動制御部とネットワークに接続するための設定を行う設定手段と装置の停止を指示する停止信号を受信する停止信号受信部と停止信号を受信したことに対応してネットワークに接続するための設定が行われたか否かを判定する判定部と判定の結果ネットワークに接続するための設定が行われていた場合、起動制御部に対する電力の供給を継続し、ネットワークに接続するための設定が行われていなかった場合起動制御部に対する電力の供給を停止する電源供給制御部を具備する。【選択図】図１
2010108366.tif 000002
【特許請求の範囲】
【請求項１】
電力を供給するための電源部と、
外部機器から装置の起動を指示する起動信号を受信する起動信号受信部と、
前記起動信号を受信したことに対応して、前記装置を起動させる起動制御部と、
ネットワークに接続するための設定を行う設定手段と、
前記装置の停止を指示する停止信号を受信する停止信号受信部と、
前記停止信号を受信したことに対応してネットワークに接続するための設定が行われたか否かを判定する判定部と、
前記判定の結果、前記ネットワークに接続するための設定が行われていた場合、前記起動制御部に対する電力の供給を継続し、前記ネットワークに接続するための設定が行われていなかった場合、前記起動制御部に対する電力の供給を停止する電源供給制御部と
を具備することを特徴とする情報処理装置。
【請求項２】
前記ネットワークに接続するための設定が、ＩＰアドレスを設定することであること
を特徴とする請求項１記載の情報処理装置。
【請求項３】
前記起動制御部または電源部が前記起動制御部への電力の供給を入切するスイッチを備え、
前記電源供給部が前記スイッチを入切することで、前記起動制御部への電力の供給の継続または停止が行われること
を特徴とする請求項１または２に記載の情報処理装置。
【請求項４】
外部機器から装置の起動を指示する起動信号を受信したことに対応して前記装置を起動させる起動制御部を具備する情報処理装置における装置の状態移行方法であって、
前記装置の停止を指示する停止信号を受信するステップと、
ネットワークに接続するための設定が行われた否かを判定するステップと、
前記判定の結果、前記ネットワークに接続するための設定が行われていた場合、前記起動制御部に対する電力の供給を継続し、前記ネットワークに接続するための設定が行われていなかった場合、前記起動制御部に対する電力の供給を停止するステップと
を具備することを特徴とする装置の状態移行方法。
【発明の詳細な説明】
【技術分野】
【０００１】
本発明は、情報処理装置及び装置の状態移行方法に関する。
【背景技術】
【０００２】
従来、装置が停止しているときに外部装置からの起動を指示する信号を受信した場合に装置を自動的に起動する処理装置が知られている（例えば特許文献１参照）。
【特許文献１】特開２００５−３３２６６号公報
【発明の開示】
【発明が解決しようとする課題】
【０００３】
上記した処理装置は、起動を指示する信号を受信できない状況で使用される場合がある。この場合、起動を指示する信号を受信できない状況であっても起動を指示する信号を受信する制御部に電力が供給され、電力が無駄に消費されることがあった。
上記に鑑み、本発明は、起動を指示する信号を受信できない状況で装置が使用されている場合に装置の無駄な電力の消費を抑制する情報処理装置及び装置の状態移行方法を提供することを目的とする。
【課題を解決するための手段】
【０００４】
本発明の一態様にかかる情報処理装置は、電力を供給するための電源部と、外部機器から装置の起動を指示する起動信号を受信する起動信号受信部と、前記起動信号を受信したことに対応して、前記装置を起動させる起動制御部と、ネットワークに接続するための設定を行う設定手段と、前記装置の停止を指示する停止信号を受信する停止信号受信部と、前記停止信号を受信したことに対応してネットワークに接続するための設定が行われたか否かを判定する判定部と、前記判定の結果、前記ネットワークに接続するための設定が行われていた場合、前記起動制御部に対する電力の供給を継続し、前記ネットワークに接続するための設定が行われていなかった場合、前記起動制御部に対する電力の供給を停止する電源供給制御部とを具備する。
【０００５】
本発明の一態様にかかる装置の状態移行方法は、外部機器から装置の起動を指示する起動信号を受信したことに対応して装置を起動させる起動制御部を具備する情報処理装置における装置の状態移行方法であって、前記装置の停止を指示する停止信号を受信するステップと、ネットワークに接続するための設定が行われた否かを判定するステップと、前記判定の結果、前記ネットワークに接続するための設定が行われていた場合、前記起動制御部に対する電力の供給を継続し、前記ネットワークに接続するための設定が行われていなかった場合、前記起動制御部に対する電力の供給を停止するステップとを具備する。
【発明の効果】
【０００６】
本発明によれば、起動を指示する信号を受信できない状況で装置が使用されている場合に装置の無駄な電力の消費を抑制する情報処理装置及び装置の状態移行方法を提供できる。
【発明を実施するための最良の形態】
【０００７】
（第１の実施の形態）
以下、図面を参照して、本発明の第１の実施の形態にかかる情報処理装置２００について詳細に説明する。図１は、本発明の一つの実施の形態にかかる情報処理装置２００を備える情報処理システム１を示すブロック図である。図２は、情報処理装置２００の状態移行方法を示すフローチャートである。
図１に示すように情報処理システム１は、アンテナ２、表示装置３、外部接続機器１００、情報処理装置２００、リモコン２０１を備える。
【０００８】
アンテナ２は、地上波アナログ放送や地上波デジタル放送、衛星放送などの放送信号を受信する。表示装置３は、例えばアンテナ２で受信した放送信号に対応する画像を表示する。
外部接続機器１００は、例えばＰＣ（Personal Computer）である。外部接続機器１００と情報処理装置２００はネットワーク５（例えばインターネット、ＬＡＮ、ＷＡＮなど）で接続される。
外部接続機器１００は、情報処理装置２００に対して起動指示信号を送信する。起動指示信号の一例はマジックパケット（Magic Packet）である。マジックパケットは、情報処理装置２００の固有のＩＤ（例えばＩＰアドレスやＭＡＣアドレス）を含む情報である。なお、起動指示信号は、マジックパケットに限定されない。すなわち、情報処理装置２００と外部接続機器１００との間で送受信可能な信号ならば種々のものが適用できる。以下、起動指示信号を（ＷＯＬ信号：Wake On LAN信号）と称す。
【０００９】
情報処理装置２００は、ＬＡＮ部２１０、入力部２１５、リモコン受光部２２０、電源部２２５、ＯＳＤ（On Screen Display）部２３０、メモリ部２３５、チューナ部２４０、ディスクドライブ部２４５、外部入力端子２４６、ＨＤＤ（Hard disk drive）部２５０、録画再生信号処理部２５５、制御部２６０そして電源セット部２６５を具備する。各部は、電源部２２５から電力を供給されて動作する。
情報処理装置２００は、例えばテレビ番組を記録するためのレコーダである。情報処理装置２００はＷＯＬ機能を備える。ＷＯＬ機能は、情報処理装置２００のシステムがＯＦＦ状態（装置が停止している状態）のときに外部接続機器１００から送信されたＷＯＬ信号を受信することで情報処理装置２００のシステムを自動的に立ち上げる（すなわち、装置を起動させる）ためのものである。
【００１０】
「システムがＯＦＦ状態」とは、情報処理装置２００の各部に電源が供給されていない状態または、リモコン受光部２２０、電源セット部２６５など必要最小限の部位にのみ電源が供給されている状態を指す。
以下、「必要最小限の部位にのみ電源が供給されている状態」をスタンバイモードという。なお、スタンバイモードでは、ＬＡＮ部２１０には電力が供給される場合とされない場合がある。ＬＡＮ部２１０に電力が供給された場合、ＷＯＬ機能がＯＮとなる。ＬＡＮ部２１０に電力が供給されない場合、ＷＯＬ機能がＯＦＦとなる。
【００１１】
ＬＡＮ部２１０は、起動信号受信部及び起動制御部として機能する。ＬＡＮ部２１０は、回路部２１１、回路電源スイッチ２１２を備える。
回路部２１１は、外部接続機器１００との信号の送受信のために、論理信号を実際の電気的な信号に変換する。回路部２１１は、ＰＨＹ（physical layer：物理層）と呼ばれることがある。また、回路部２１１は、データリンク層としての機能も有し、ＭＡＣアドレスなどの固有ＩＤが記憶される。
回路部２１１は、外部接続機器１００から、ＷＯＬ信号を受信する。回路部２１１は、電源部２２５から電力を供給されている時にＷＯＬ信号を受信した場合、ＷＯＬ信号に含まれる固有ＩＤと、回路部２１１に記憶された固有ＩＤとを比較する。
比較した結果、固有ＩＤが一致した場合、回路部２１１は、電源投入信号を電源セット部２６５に出力する。
【００１２】
回路電源スイッチ２１２は、回路部２１１への電力の供給のＯＮ/ＯＦＦを切り替えるものである。回路電源スイッチ２１２は、電源セット部２６５によって制御される。回路電源スイッチ２１２がＯＦＦのときはＷＯＬ機能はＯＦＦとなる。
入力部２１５は、例えばタッチパネルや押下式のボタン群、キーボードなどである。入力部２１５には、情報処理装置２００のメイン電源のＯＮ/ＯＦＦを制御するための主電源スイッチが含まれる。入力部２１５による所定の操作によって表示装置３に種々の設定画面を表示させることができる。
「設定画面」は、例えば情報処理装置２００がネットワーク５に接続する際に必要なＩＰアドレスの設定を行うものである。なお、ＩＰアドレスとして、入力部２１５によって入力されたものや、ＬＡＮ部２１０を介して自動的に取得されたものが適用される。
【００１３】
リモコン受光部２２０は、停止信号受信部として機能する。
リモコン受光部２２０は、リモコン２０１からのコマンドを受信する受信装置（例えば赤外線受信装置）である。リモコン受光部２２０は例えば情報処理装置２００をスタンバイモードに移行させるコマンドを受信する。リモコン受光部２２０が受信したコマンドは、電源セット部２６５に入力される。
リモコン２０１は、入力部２１５に準ずるボタンを搭載する。リモコン２０１には、情報処理装置２００をスタンバイモードに移行させる副電源スイッチが含まれる。ここでは図示は省略したが、副電源スイッチ上には「電源ＯＮ/ＯＦＦ」などの文字が印字されることもある。
【００１４】
電源部２２５は商用電源に接続される。電源部２２５は、電源スイッチ２２６,２２７、電力供給線２２８を備える。電源スイッチ２２６は、入力部２１５によるメイン電源のＯＮ/ＯＦＦ操作に対応して入切される。電源スイッチ２２６のＯＮ/ＯＦＦによって情報処理装置２００全体の電源供給または電源供給停止が行われる。
電源スイッチ２２７は、リモコン２０１によるスタンバイモードに移行させるための操作に対応してＯＮ/ＯＦＦされる。電源スイッチ２２７のＯＮ/ＯＦＦによって情報処理装置２００のスタンバイモードへの移行または復帰が制御される。
【００１５】
電力供給線２２８は、制御部２６０などの各部に電力を供給するためのものである。電源スイッチ２２６に直接的に接続された電力供給線２２８ａ,２２８ｂは、それぞれリモコン受光部２２０、ＬＡＮ部２１０、電源セット部２６５などに対して電力を供給するものである。電力供給線２２８ａによって、電源スイッチ２２７がＯＦＦのときでもリモコン受光部２２０などに電力が供給され、リモコン２０１からのコマンドを受信したことに対応してスタンバイモードからの復帰が可能となる。
【００１６】
ＯＳＤ部２３０は、例えば表示装置３に表示された映像上に重ねられる画像を生成する。例えばＩＰアドレスなどの設定画面に対応する画像や表示装置３に表示された画像の輝度や色合いを変更する画面に対応する画像である。
メモリ部２３５は、種々の情報が記憶される。例えば制御部２６０が情報処理装置２００全体を制御するためのファームウェアが記憶される。また、メモリ部２３５には、設定されたＩＰアドレスやＩＰアドレスの設定が「設定済」か「未設定」かを示す情報が記憶される場合もある。
【００１７】
チューナ部２４０は、アンテナ２を介して衛星放送、テレビ放送（デジタル放送、アナログ放送）などの放送信号を受信する。
ディスクドライブ部２４５は、リムーバブルディスク（例えばDVD-ROMやCD-ROM、各RAMディスクなど）に記憶された情報を読み取るためのものである。
外部入力端子２４６は、種々の装置を接続するためのインターフェースである。例えばＤＶＤプレーヤやＳＴＢ（Set Top Box：セットトップボックス）が接続される。外部入力端子２４６に接続されたこれらの装置によってＩＰ放送（ブロードバンドVOD等）などが受信できる。
ＨＤＤ部２５０は、チューナ部２４０で受信した放送信号に対応する画像や、リムーバブルディスクに保存された情報を記録する。
録画再生信号処理部２５５は、チューナ部２４０で受信した放送信号に対応する画像や、ＨＤＤ部、リムーバブルディスクに保存された画像情報に対応する画像を表示装置３に表示させる。
【００１８】
制御部２６０は、回路制御部２６１、ＬＡＮ機能制御部２６２を備える。
回路制御部２６１は、録画信号処理部２５５など各部を制御する。情報処理装置２００のシステムがＯＮのとき回路制御部２６１は、入力部２１５やリモコン受信部２２０からの出力を監視している。例えば、リモコン受信部２２０がスタンバイモードに移行するためのコマンドをリモコン２０１から受信したかを監視している。
回路制御部２６１は、入力部２１５やリモコン受信部２２０からの出力を電源セット部２６５を介して受信する。
【００１９】
ＬＡＮ機能制御部２６２は、ＬＡＮ機能設定部２６２ａ、ＬＡＮ機能判定部２６２ｂ、ＬＡＮ回路電源制御部２６２ｃを備える。
ＬＡＮ機能設定部２６２ａは、ネットワークに接続するための設定を行う設定手段である。
ＬＡＮ機能設定部２６２ａは、ＩＰアドレスの設定などの制御を行う。例えばＩＰアドレス設定のための設定画面を表示装置３に表示させる。
ＬＡＮ機能設定部２６２ａは、ＩＰアドレスが設定されたことに基づいて、ＩＰアドレスをメモリ部２３５に記憶させる。ＬＡＮ機能設定部２６２ａは、設定されたＩＰアドレスを回路部２１１に記憶させることもできる。回路部２１１に記憶させたＩＰアドレスは、例えばマジックパケットに含まれる固有ＩＤと比較される。
ＬＡＮ機能設定部２６２ａは、ＩＰアドレスが設定されたことに対応して、ＩＰアドレスが設定されたことを示す情報をメモリ部２３５に記憶させる。
【００２０】
ＬＡＮ機能判定部２６２ｂは、ネットワークに接続するための設定が行われたか否かを判定する判定部として機能する。
すなわち、ＬＡＮ機能判定部２６２ｂは、メモリ部２３５にＩＰアドレスが設定されたことを示す情報が記憶されているか否かの判定を行う。
ＬＡＮ回路電源制御部２６２ｃは、電源供給制御部の一部として機能する。
ＬＡＮ回路電源制御部２６２ｃは、ＬＡＮ機能判定部２６２ｂによる判定の結果に対応して、ＷＯＬ機能のＯＮ/ＯＦＦの切り替えを行う。
ＬＡＮ回路電源制御部２６２ｃは、ＬＡＮ機能判定部２６２ｂによる判定の結果、記憶部にＩＰアドレスが設定されたことを示す情報が記憶されていた場合、ＷＯＬ機能をＯＮにする。具体的には、ＬＡＮ回路電源制御部２６２ｃは、ＬＡＮ部２１０が備える回路電源スイッチ２１２をＯＮにするよう電源セット部２６５を制御する。すなわち、ＬＡＮ回路電源制御部２６２ｃは電源セット部２６５を介してＬＡＮ部２１０に対する電源の供給を制御する。
【００２１】
電源セット部２６５は、電源供給制御部の他部として機能する。
電源セット部２６５は、ＬＡＮ回路電源制御部２６２ｃに制御されてＬＡＮ部２１０が備える回路電源スイッチ２１２をＯＮ/ＯＦＦする。
電源セット部２６５は、ＬＡＮ部２１０の回路部２１１からの電源投入信号の受信に対応して、電源スイッチ２２７をＯＮにする。
電源セット部２６５は、入力部２１５による主電源のＯＮ/ＯＦＦ操作に対応して、電源部２２５の電源スイッチ２２６をＯＮ/ＯＦＦする。電源セット部２６５は、電源スイッチ２２６をＯＮにするとき回路電源スイッチ２１２、電源スイッチ２２７もＯＮにする。
電源セット部２６５は、リモコン受光部２２０がリモコン２０１からのコマンドを受信したことに対応して電源スイッチ２２７をＯＮ/ＯＦＦする。たとえば、リモコン受光部２２０がスタンバイモードに移行させるためのコマンドをリモコン２０１から受信した場合、電源スイッチ２２７をＯＦＦにする。
電源セット部２６５は、リモコン受光部２２０や入力部２１５の出力を回路制御部２６１に送信する。
【００２２】
次に図２を用いて、情報処理装置２００の状態移行方法を説明する。図２は、情報処理装置２００の状態移行方法を示すフローチャートである。
なお、以下の説明では、情報処理装置２００はシステムが立ち上がっている状態である。すなわち、回路電源スイッチ２１２、電源スイッチ２２６、２２７がＯＮの状態である。
（１）スタンバイコマンドの受信（ステップＳ１０１）
情報処理装置２００のシステムが立ち上がっている場合、回路制御部２６１は常にリモコン受光部２２０によるリモコン２０１からのコマンドの受信を監視している。
リモコン受光部２２０がリモコン２０１からスタンバイモードに移行させるためのコマンドを受信すると、回路制御部２６１は、スタンバイモードに移行させるためのコマンドの受信を示す信号をＬＡＮ機能判定部２６２ｂに出力する。
【００２３】
（２）ＩＰアドレス設定の確認（ステップＳ１０２）
ＬＡＮ機能判定部２６２ｂは、回路制御部２６１からのコマンドの受信を示す信号を受信すると、メモリ部２３５にＩＰアドレスが設定されたか否かを示す情報が記憶されているか否かを判定する。ＬＡＮ機能判定部２６２ｂは、判定結果をＬＡＮ回路電源制御部２６２ｃに出力する。
（３）ＷＯＬ機能の設定処理１（ステップＳ１０３）
ＬＡＮ回路電源制御部２６２ｃは、ＬＡＮ機能判定部２６２ｂから送信された判定結果が「設定済」の場合、ＷＯＬ機能をＯＮに決定する。この場合、ＬＡＮ部２１０への電源の供給が継続される。
【００２４】
（４）ＷＯＬ機能の設定処理２（ステップＳ１０４）
ＬＡＮ回路電源制御部２６２ｃは、ＬＡＮ機能判定部２６２ｂから送信された判定結果が「未設定」の場合、ＷＯＬ機能をＯＦＦに決定する。
この場合、ＬＡＮ回路電源制御部２６２ｃは、電源セット部２６５を制御してＬＡＮ部２１０の回路電源スイッチ２１２をＯＦＦにする。この結果、ＬＡＮ部２１０への電力の供給が停止する。すなわち、ＷＯＬ機能を使用しない状態となる。
（５）システムスタンバイ（ステップＳ１０５）
回路制御部２６１は、ＬＡＮ回路電源制御部２６２ｃによるＷＯＬ機能のＯＮ/ＯＦＦの処理後に電源セット部２６５を制御して回路部２１１の電源スイッチ２２７をＯＦＦにする。このことにより情報処理装置２００は、ＷＯＬ機能がＯＮまたはＯＦＦの状態でスタンバイモードに移行する。
【００２５】
以上説明したように、この実施の一態様にかかる情報処理装置２００は、ＩＰアドレスの「設定済」または、「未設定」の情報に基づいてＷＯＬ機能のＯＮ/ＯＦＦが決定される。
従来、ＩＰアドレスが設定されていない場合、ＷＯＬ信号が受信できないことがあった。この場合であっても、ＷＯＬ機能の機能がＯＮ状態の情報処理装置ではＬＡＮ部２１０に電力が供給され続け、無駄な電力を消費していた。
この実施の形態の情報処理装置２００は、ＩＰアドレスが設定されているか否かの情報からＷＯＬ信号の受信が可能か否か（すなわちＷＯＬ機能が使用可能か否か）を判定でき、ＩＰアドレスが設定されていなかった場合、回路電源スイッチ２１２をＯＦＦにするので、無駄な電力を消費することがない。
また、従来ＷＯＬ機能を利用するために専用の設定画面で設定しなくてはいけない場合があった。この実施の形態の情報処理装置２００によれば、この設定の手間を省くことができる。
【００２６】
本発明は、上記実施の形態、変形例に限定されるものではなく、その要旨を逸脱しない範囲で種々の変形が可能である。
（第１の変形例）
図３を用いて情報処理装置２００の第１の変形例である情報処理装置２００ａについて説明する。図３は本発明の一つの変形例にかかる情報処理装置２００ａを示すブロック図である。なお、以下の説明では、第１の実施の形態の情報処理装置２００と同一の部分については同じ符号をつけ詳細な説明は省略する。
図３に示すように情報処理装置２００ａは、ＬＡＮ部２１０ａ、電源部２２５ａを備える。ＬＡＮ部２１０ａは、第１の実施の形態の情報処理装置２００が具備するＬＡＮ部２１０から回路電源スイッチ２１２を取り除いたものである。
電源部２２５ａは、ＬＡＮ部２１０から取り除かれた回路電源スイッチ２１２に対応する回路電源スイッチ２１２ａを備える。
このように、本発明の第１の変形例にかかる情報処理装置２００ａは、回路電源スイッチ２１２ａによってＷＯＬ機能のＯＮ/ＯＦＦを制御することができる。
【００２７】
（第２の変形例）
図４を用いて、情報処理装置２００の第２の変形例である情報処理装置２００ｂについて説明する。図４は本発明の第２の変形例にかかる情報処理装置２００ｂを示すブロック図である。なお、以下の説明では、第１の実施の形態の情報処理装置２００と同一の部分については同じ符号をつけ詳細な説明は省略する。
上記第１の実施の形態の情報処理装置２００では、電源スイッチ２２６がＯＦＦのときはＷＯＬ機能を使用できない状態であった。そこで電源スイッチ２２６がＯＦＦのときでも、ＷＯＬ機能を使用できる例を説明する。
この場合、図４に示すように回路電源スイッチ２１２及び電源セット部２６５に常に電力が供給されるように構成する。電源部２２５は、回路電源スイッチ２１２、電源セット部２６５に常に電力を供給する為の電力供給線２２８ｃ,２２８ｄを備える。
【００２８】
回路制御部２６１によってＷＯＬ機能がＯＮ状態でシステムがＯＦＦ状態となった情報処理装置２００は、外部接続機器１００からのＷＯＬ信号を受信すると、回路部２１１が、電源投入信号を電源セット部２６５に出力する。
電源セット部２６５は、電源投入信号を受信すると、電源スイッチ２２６、２２７をＯＮにする。この結果、各部に電力が供給され、情報処理装置２００のシステムが自動的に立ち上がる。
【００２９】
（その他の変形例）
上記実施の形態では、ＷＯＬ機能のＯＮ/ＯＦＦの判定を、ＩＰアドレスが設定されたか否かの情報に基づいて行ったが、これに替えて、メモリ部２３５に記憶されたＩＰアドレスに基づいてＷＯＬ機能のＯＮ/ＯＦＦの判定を行ってもよい。
すなわち、メモリ部２３５にＩＰアドレスが記憶されていれば、ＬＡＮ回路電源制御部２６２ｃは、ＷＯＬ機能のＯＮに決定する。メモリ部２３５にＩＰアドレスが記憶されていなけれ、ＬＡＮ回路電源制御部２６２ｃはＷＯＬ機能のＯＦＦに決定する。
【図面の簡単な説明】
【００３０】
【図１】本発明の一つの実施の形態にかかる情報処理装置２００を備える情報処理システム１を示すブロック図。
【図２】情報処理装置２００の状態移行方法を示すフローチャート。
【図３】本発明の第１の変形例にかかる情報処理装置２００ａを示すブロック図。
【図４】本発明の第２の変形例にかかる情報処理装置２００ａを示すブロック図。
【符号の説明】
【００３１】
１…情報処理システム、２…アンテナ、３…表示装置、５…ネットワーク、１００…外部接続機器、２００,２００ａ,２００ｂ…情報処理装置、２０１…リモコン、２１０…ＬＡＮ部、２１１…回路部、２１２, ２１２ａ…回路電源スイッチ、２１５…入力部、２２０…リモコン受光部、２２５,２２５ａ…電源部、２２６,２２７…電源スイッチ、２２８, ２２８ａ,２２８ｂ,２２８ｃ,２２８ｄ…電力供給線、２３０…ＯＳＤ部、２３５…メモリ部、２４０…チューナ部、２４５…ディスクドライブ部、２４６…外部入力端子、２５０…ＨＤＤ部、２５５…録画再生信号処理部、２６０…制御部、２６１…回路制御部、２６２…ＬＡＮ機能制御部、２６２ａ…ＬＡＮ機能設定部、２６２ｂ…ＬＡＮ機能判定部、２６２ｃ…ＬＡＮ回路電源制御部、２６５…電源セット部。
【図１】
2010108366.tif 000003
【図２】
2010108366.tif 000004
【図３】
2010108366.tif 000005
【図４】
2010108366.tif 000006